(57)【要約】【課題】ネットワークコピージョブを行う際に、使用する画像形成装置と、使用する給紙カセットを簡単な操作で決定することができ、しかも、給紙カセットとしては、確実にユーザが所望するサイズの用紙が収納されている給紙カセットを決定することができる画像処理制御装置を提供する。【解決手段】ＣＰＵ２１は「ネットワークコピー」ボタン６４がタッチされると、登録されている画像形成装置から給紙カセット情報を取得して、それを画像形成装置毎に表示する。そして、その画面で、或る給紙カセットのボタンがタッチされると、ＣＰＵ２１は、このネットワークコピージョブで使用する画像形成装置、及びその給紙カセットを決定する。【選択図】図６
2007174159.tif 000002
【特許請求の範囲】
【請求項１】
表示操作部を備え、ネットワークに接続された画像処理制御装置であって、
ネットワークコピージョブが選択された場合、予め登録されている画像形成装置から給紙カセット情報を取得して前記表示操作部に表示し、そこで給紙カセットが指定された場合、当該ネットワークコピージョブで使用する画像形成装置と、給紙カセットとを決定する
ことを特徴とする画像処理制御装置。
【発明の詳細な説明】
【技術分野】
【０００１】
本発明は、少なくともコピージョブを制御することができる画像処理制御装置に係り、特に、画像処理ネットワークシステムに用いるデジタル複合機の制御装置として用いて好適な画像処理制御装置に関する。
【背景技術】
【０００２】
デジタル複合機や、単体のプリンタユニット等がネットワークで接続されたネットワークシステム（本明細書では、画像処理ネットワークシステムと称する）が知られている。ここで、デジタル複合機は、コピージョブ、ファクシミリ（以下、ＦＡＸと記す）ジョブ、即ちＦＡＸの送受信のジョブ、画像スキャンジョブの３つのジョブを兼ね備えることができるものであり、画像処理制御装置（以下、単に制御装置という）に機能ユニットを接続して構成されたものである。
【０００３】
制御装置は、接続された各機能ユニットの動作を制御することができるものであり、ユーザインターフェイス（ＵＩ）としての機能を有する表示操作部をも備えている。そして、制御装置には、所望の機能ユニットを接続することが可能であり、例えば、コピー装置として使用したい場合には制御装置に対して、原稿画像の読み取りを行うためのスキャナユニットと、電子写真法等によって画像形成を行うプリンタユニットを用いればよく、また、コピー装置だけでなくＦＡＸ装置としても使用したい場合には、制御装置に対して、スキャナユニットとプリンタユニット、及びＦＡＸの送受信の処理を行うことができるＦＡＸユニットとを用いればよい。また、ＦＡＸの受信のみを行えばよいのであれば、スキャナユニットを用いる必要はなく、制御装置には、ＦＡＸユニットとプリンタユニットとのみを用いればよい。
【０００４】
しかし、本発明ではデジタル複合機についてはコピージョブができればよいので、以下では、デジタル複合機は、制御装置にスキャナユニットとプリンタユニットが接続された構成であるとする。
【０００５】
なお、本明細書では、プリンタユニット、スキャナユニット等は、何れも画像処理に関する個別の機能を果たすものであるので、これらのユニットを総称して機能ユニットと称するものとする。
【０００６】
そして、この種の画像処理ネットワークシステムでは、あるデジタル複合機で原稿画像の読み取りを行い、画像のコピー出力は他の画像形成装置で行わせる処理（この処理を本明細書では、ネットワークコピージョブと称する）が可能である。換言すれば、ネットワークコピージョブは、原稿読み取りを行ったデジタル複合機とは異なる画像形成装置で、画像データの出力を行うジョブといえる。なお、ここで、画像形成装置は、画像形成を行ってコピー出力を行うことができるものの総称であり、デジタル複合機も画像形成装置の一つであり、画像処理ネットワークシステムに単体で接続されているプリンタユニットも画像形成装置の一つである。
【特許文献１】特開２００２−１６０４３０号公報
【発明の開示】
【発明が解決しようとする課題】
【０００７】
ところで、ネットワークコピージョブを行う場合には、コピー出力を行う画像形成装置と、その画像形成装置のどの給紙カセットを用いるかを決定しなければならないが、従来においては、ユーザは、使用する画像形成装置を決定する動作と、その画像形成装置の給紙カセットの中の使用する給紙カセットを決定する動作の２つの動作を行わなければならなかった。なお、給紙カセットには手差しカセットも含むものである。
【０００８】
また、一般に、ユーザは、その時点において、各画像形成装置の各給紙カセットにどのようなサイズの用紙が収納されているかを知ることは難しいので、ネットワークコピージョブに使用すると決定した画像形成装置の給紙カセットに所望のサイズの用紙が収納されていない場合もあるという問題も生じていた。
【０００９】
そこで、本発明は、ネットワークコピージョブを行う際に、使用する画像形成装置と、使用する給紙カセットを簡単な操作で決定することができ、しかも、給紙カセットとしては、確実にユーザが所望するサイズの用紙が収納されている給紙カセットを決定することができる画像処理制御装置を提供することを目的とする。
【課題を解決するための手段】
【００１０】
上記の目的を達成するために本発明に係る画像処理制御装置は、表示操作部を備え、ネットワークに接続された画像処理制御装置であって、ネットワークコピージョブが選択された場合、予め登録されている画像形成装置から給紙カセット情報を取得して前記表示操作部に表示し、そこで給紙カセットが指定された場合、当該ネットワークコピージョブで使用する画像形成装置と、給紙カセットとを決定することを特徴とする。
【発明の効果】
【００１１】
本発明によれば、ネットワークコピーを行う場合に、使用する給紙カセットを指定することによって、使用する画像形成装置が自動的に決定されるので、簡単な操作で、ネットワークコピージョブで使用する画像形成装置、及びその給紙カセットを決定することができる。また、それに際して、ユーザは、各々の画像形成装置の各給紙カセットに用紙が収納されているか否か、収納されている場合にはどのようなサイズで、どの方向かを知る必要はないので、ユーザの負担を軽減することができる。
【発明を実施するための最良の形態】
【００１２】
以下、図面を参照しつつ発明の実施の形態について説明する。先ず、図１を参照して、本発明に係る制御装置、及びその制御装置を用いたデジタル複合機の一実施の形態について説明しておく。図１において、１はネットワーク、１０はデジタル複合機、１１は制御装置、１２はスキャナユニット、１３はプリンタユニット、２１はＣＰＵ、２２はＲＯＭ、２３はＲＡＭ、２４は表示操作部、２５はネットワークインターフェイス（以下、インターフェイスをＩ／Ｆと記す）、２６、２７は通信Ｉ／Ｆを示す。
【００１３】
ここではデジタル複合機１０は、上述したように、制御装置１１に対して、スキャナユニット１２と、プリンタユニット１３の２つの機能ユニットが接続された構成としている。制御装置１１には、これらの機能ユニット以外にも、ＦＡＸの送受信の処理を行うＦＡＸユニット、画像データを記憶する記憶ユニットが等が接続可能であるのが一般的であるが、本発明ではコピージョブが行えればよいので、ＦＡＸユニットや記憶ユニットについては説明を省略する。
【００１４】
制御装置１１は、接続された機能ユニット、この場合はスキャナユニット１２、及びプリンタユニット１３の動作を統括して制御することができるようになされたものであり、図１に示すように、ＣＰＵ２１，ＲＯＭ２２、ＲＡＭ２３、表示操作部２４、ネットワークＩ／Ｆ２５、通信Ｉ／Ｆ２６、２７を備える。
【００１５】
ＣＰＵ２１は、デジタル複合機１０の各部、即ち、制御装置１１内の各部、スキャナユニット１２、及びプリンタユニット１３を統合的に制御する制御回路である。ＲＯＭ２２は、ＣＰＵ２１の動作手順を規定するプログラムや、プログラムの実行に際して利用するデータが記録されている読み出し専用のメモリである。ＲＡＭ２３は、ＣＰＵ２１の作業領域として用いられるものであり、処理中の画像データ等の種々のデータが記憶される。
【００１６】
表示操作部２４はＵＩであって、ここでは、液晶ディスプレイ上にタッチセンサを設けたタッチパネルと、ハードボタン群からなっているものとする。ハードボタン群には、スタートボタン、ストップボタン、テンキー等の機械スイッチが含まれている。また、タッチパネルには種々のメッセージが表示され、更に、液晶ディスプレイとタッチセンサとの組み合わせによって、各種の設定を行うためのタッチボタンや、表示画面の遷移を制御するためのタッチボタンも形成される。なお、タッチパネルに表示される画面、及び画面中のタッチボタンをタッチしたときの画面の遷移はＣＰＵ２１に制御されるものである。
【００１７】
ネットワークＩ／Ｆ２５は、制御装置１１をネットワーク１に接続するためのＩ／Ｆであり、ＣＰＵ２１に対して、当該ネットワークＩ／Ｆ２５を介した他の制御装置あるいはプリンタユニットとの間の双方向通信を可能としている。従って、ＣＰＵ２１への動作の指示は、自己の制御装置１１の表示操作部２４のみが行うことが可能であるのではなく、ネットワークＩ／Ｆを介して、ネットワーク１に接続されている他のデジタル複合機の表示操作部からも行うことができるものである。
【００１８】
通信Ｉ／Ｆ２６、２７は、各機能ユニットと接続するためのものであり、これによって接続された機能ユニットとの間で情報の授受を行うことを可能にしている。これらの通信Ｉ／Ｆ２６、２７は、機能ユニットとの間で情報の授受を行うことができればどのような方式に準拠するものであってもよく、また、これら通信Ｉ／Ｆ２６、２７の全てが同じ方式のＩ／Ｆであってもよく、異なる方式のＩ／Ｆであってもよい。
【００１９】
なお、ネットワークＩ／Ｆ２５と、通信Ｉ／Ｆ２６、２７とは、実際には同じ通信プロトコルを用いるものであってよいが、ここでは、ネットワーク１に接続するためのものと、機能ユニットを接続するためのものを区別するために異なる名称としている。
【００２０】
次に、スキャナユニット１２、及びプリンタユニット１３について簡単に説明する。スキャナユニット１２は、原稿の画像を読み取るための周知の構成を備えており、パソコンシステムの周辺機器として使用可能なものであって、制御装置１１と通信ケーブルで繋ぐことができる拡張ボード等の手段を備えているものである。
【００２１】
図２（ａ）にスキャナユニット１２の構成例を示す。ＣＰＵ３１は、当該スキャナユニット１２の各部の動作を統合的に制御する制御回路であり、ＲＯＭ３２は、ＣＰＵ３１の動作手順を規定するプログラムや、プログラムの実行に際して利用するデータが記録されている読み出し専用のメモリであり、ＲＡＭ３３は、ＣＰＵ３１の作業領域として用いられるものであり、スキャナエンジン３４は、原稿の画像を読み取るための機構及び回路を含んでいる。そして、このスキャナユニット１２は、通信Ｉ／Ｆ３６を介して制御装置１１に接続することが可能であり、更に、ネットワークＩ／Ｆ３５によってネットワーク１に接続することが可能である。即ち、スキャナユニット１２は、単独でネットワーク１に接続可能となされているのである。なお、本発明ではスキャナユニット１２の具体的な構成、動作については本質的な事項ではないので、これ以上の詳細については説明を省略する。
【００２２】
プリンタユニット１３は、パソコンシステムの周辺機器として使用可能なものであって、制御装置１１と通信ケーブルで繋ぐことができる拡張ボード等の手段を備えているものである。
【００２３】
図２（ｂ）にプリンタユニット１３の構成例を示す。ＣＰＵ４１は、当該プリンタユニット１３の各部の動作を統合的に制御する制御回路であり、ＲＯＭ４２は、ＣＰＵ４１の動作手順を規定するプログラムや、プログラムの実行に際して利用するデータが記録されている読み出し専用のメモリであり、ＲＡＭ４３は、ＣＰＵ４１の作業領域として用いられるものであり、プリンタエンジン４４は、給紙カセットを備え、電子写真法あるいはその他の方法で画像形成を行って、コピー出力を行うための機構及び回路を含んでいる。そして、このプリンタユニット１３は、通信Ｉ／Ｆ４６を介して制御装置１１に接続することが可能であり、更に、ネットワークＩ／Ｆ４５によってネットワーク１に接続することが可能である。即ち、プリンタユニット１３は、単独でネットワーク１に接続可能となされているのである。なお、本発明ではプリンタユニット１３の具体的な構成、動作については本質的な事項ではないので、これ以上の詳細については説明を省略する。
【００２４】
次に、動作について説明するが、ここでは、図３に示す構成の画像処理ネットワークシステムを考えることにする。一般には、ネットワーク１には、スキャナユニットや記憶ユニットが単体で接続されてもよいことは当然であるが、本発明はネットワークコピージョブに関するものであるので、ここでは図３に示す構成を考えるものとする。図３においては、ネットワーク１には、２つのデジタル複合機１０Ａ、１０Ｂが接続され、また、２つのプリンタユニット１３Ｃ、１３Ｄがそれぞれ単体で接続されている。デジタル複合機１０Ａ、１０Ｂは何れも、制御装置１１にスキャナユニット１２と、プリンタユニット１３が接続された構成となっている。
【００２５】
なお、図３において、例えば制御装置には１１Ａ、１１Ｂという符号を付しているが、これは、制御装置１１Ａ、１１Ｂは何れも図１の制御装置１１と同じ構成を有していることを示している。図３のその他の構成要素についても同じである。
【００２６】
そして、このネットワーク１に直接接続されている制御装置や機能ユニットには、それぞれ、固有のＩＰアドレス、ポート番号が割り当てられている。従って、図３に示す画像処理ネットワークシステムでは、制御装置１１Ａ、１１Ｂ、プリンタユニット１３Ｃ、１３Ｄに、それぞれ、固有のＩＰアドレス、ポート番号が割り当てられている。
【００２７】
ここで、制御装置１１の表示操作部２４のタッチパネルに表示される画面の例について説明する。なお、以下に説明する画面は、ネットワーク１に接続されている全ての制御装置１１Ａ、１１Ｂの表示操作部２４Ａ、２４Ｂで表示されるものである。また、以下に説明する画面はあくまでも一例にすぎないものである。
【００２８】
図４に、デジタル複合機１０において、電源投入後の立ち上げ処理が終了した時に、表示操作部２４に表示される基本画面の例を示す。基本画面は、大きく、ジョブ表示領域５１、動作状態表示領域５２、及びパラメータ表示領域５３の３つに分かれている。
【００２９】
ジョブ表示領域５１には、「コピー」ボタン６１、「ＦＡＸ」ボタン６２、「画像スキャン」ボタン６３、「ネットワークコピー」ボタン６４、及び「画像形成装置登録」ボタン６５の５つのタッチボタンが配置されている。
【００３０】
上述の通り、デジタル複合機では、制御装置１１に接続する機能ユニットによっては、コピージョブ、ＦＡＸジョブ、及び／又は画像スキャンジョブが可能である。コピージョブは、スキャナユニットで原稿画像を入力してプリンタユニットで画像出力するジョブである。また、ＦＡＸジョブは、スキャナユニットで原稿の画像を入力してＦＡＸユニットから所望の電話番号宛てに画像データを送信する動作と、ＦＡＸユニットで受信した画像データをプリンタユニットで画像出力する動作を含んでいる。更に、画像スキャンジョブは、スキャナユニットで原稿画像を入力して、記憶ユニットに保存するジョブである。
【００３１】
従って、どのような機能ユニットが接続された場合にもジョブの選択ができるように、ジョブ表示領域５１には、「コピー」ボタン６１、「ＦＡＸ」ボタン６２、「画像スキャン」ボタン６３が配置されるのである。しかし、図３のデジタル複合機１０Ａ、１０ＢではＦＡＸジョブ、及び画像スキャンジョブは実行できないので、「ＦＡＸ」ボタン６２と、「画像スキャン」ボタン６３は選択不可能であることを示す態様で表示される。
【００３２】
そして、ジョブ表示領域５１に表示されているタッチボタンの中の一つのボタン、図３では「コピー」ボタン６１がディフォルトで選択されている。図３において「コピー」ボタン６１には斜線が施されているが、これは当該タッチボタンが選択されていることを示している。なお、「ネットワークコピー」ボタン６４、「画像形成装置登録」ボタン６５については後述する。
【００３３】
基本画面の動作状態表示領域５２には、ジョブ表示領域５１に配置されているタッチボタンの中の、現在選択されているタッチボタンのジョブの動作の説明が表示される。例えば、図３に示すように、「コピー」ボタン６１が選択されている場合には「コピーできます」と表示される。その他のボタンのジョブが選択された場合にも同様である。
【００３４】
基本画面のパラメータ表示領域５３には、ジョブ表示領域５１中の現在選択されているタッチボタンのジョブを実行するために必要な種々のパラメータが表示される。例えば、図３には示していないが、ジョブ表示領域５１の「コピー」ボタン６１が選択されている場合には、給紙カセットの選択、コピー倍率、コピー濃度、カラーかモノクロかの選択等のコピージョブを行う場合に設定すべきパラメータが表示される。ジョブ表示領域５１のその他のジョブのボタンが選択された場合も同様である。
【００３５】
なお、各制御装置１１のＣＰＵ２１は、自己の制御装置１１に接続している各機能ユニットと情報の授受を行うことによって、各機能ユニットについて、それぞれ、予め定められた所定の機能を有しているか否か、及び有している機能についてはどのようなパラメータが選択可能であるかを認識していることは言うまでもない。
【００３６】
ジョブ表示領域５１に配置される「ネットワークコピー」ボタン６４は、ネットワークコピージョブを行う場合に操作するタッチボタンであり、「画像形成装置登録」ボタン６５は、ネットワークコピージョブを行う場合に、コピー出力に用いたい画像形成装置を予め登録するためのタッチボタンである。
【００３７】
今、例えば、ユーザがデジタル複合機１０Ａの表示操作部２４Ａを操作しているものとし、図４に示す基本画面において、「画像形成装置登録」ボタン６５をタッチしたとすると、ＣＰＵ２１Ａは表示画面を基本画面から画像形成装置登録画面に遷移させる。その画像形成装置登録画面では、ジョブ表示領域５１の「画像形成装置登録」ボタン６５は選択されていることを示す態様で表示され（図５には図示せず）、図５に示すように、動作状態表示領域５２には「画像形成装置を登録します」という、このジョブの動作の説明文が表示され、パラメータ表示領域５３には、これまで既に登録されている画像形成装置の名称、ＩＰアドレス、ポート番号と共に、今回登録する画像形成装置の名称と、そのＩＰアドレス、ポート番号の入力を要求する表示がなされる。なお、図５では画像形成装置は「プリンタ」と記されている。この点については以下同様である。
【００３８】
この図５に示す画像形成装置登録画面において、これまで登録されている画像形成装置についてのＩＰアドレス、ポート番号は、その画像形成装置が、プリンタユニット１３Ｃ、１３Ｄのように直接ネットワーク１に接続されているものである場合には、そのプリンタユニットに割り当てられているＩＰアドレス、ポート番号であり、また、プリンタユニット１３Ａ、１３Ｂのように或る制御装置に接続されているものである場合には、その制御装置に割り当てられているＩＰアドレス、ポート番号である。このことは、この画面で登録しようとしている画像形成装置のＩＰアドレス、ポート番号についても同じである。
【００３９】
ここで、プリンタ名は適当な数字、例えば１からの通し番号でよく、テンキーにより入力すればよい。また、ＩＰアドレス、ポート番号もテンキーにより入力すればよい。なお、既に登録している画像形成装置（プリンタ）の数が多く、図５に示すパラメータ表示領域５３内に全てを一度に表示できない場合には、スクロール表示とするか、あるいは次頁の画面に続きを表示するようにすればよい。この点についても以下同様である。
【００４０】
そして、図５の画像形成装置登録画面で今回登録する画像形成装置（プリンタ）の名称、ＩＰアドレス、ポート番号を入力して、当該画面内の「登録」ボタン６６をタッチすると、制御装置１１ＡのＣＰＵ２１Ａは入力されたプリンタ名、ＩＰアドレス、ポート番号を取り込んで登録する。そして、ＣＰＵ２１Ａは表示画面を元の基本画面に戻す。
【００４１】
従って、この場合には、制御装置１１Ａには、デジタル複合機１０Ｂに用いられているプリンタユニット１３Ｂ、及び、ネットワーク１に直接接続されているプリンタユニット１３Ｃ、１３Ｄを、ネットワークコピージョブの場合に用いる画像形成装置として登録することができる。
【００４２】
以上、デジタル複合機１０Ａの制御装置１１Ａにおける画像形成装置の登録について説明したが、その他のデジタル複合機の制御装置においても同様にして、所望の画像形成装置を登録することができる。
【００４３】
さて、今、ユーザはデジタル複合機１０Ａにいるとする。このとき、表示操作部２４Ａに基本画面が表示されており、「コピー」ボタン６１が選択されていることを示す態様で表示されている状態において、スキャナユニット１２Ａに原稿をセットし、パラメータ表示領域５３でパラメータを所望のように設定すると共に、コピー部数を入力してスタートボタンを押すと、スキャナユニット１２Ａで原稿の画像が読み取られ、その画像データはプリンタユニット１３Ａに転送されて、設定された部数だけコピー出力が行われる。これが通常のコピージョブ時の動作である。
【００４４】
次に、ネットワークコピージョブの場合の動作を説明する。上述したと同じく、ユーザは今デジタル複合機１０Ａのところにいるとし、ネットワーク１に接続されている他のデジタル複合機のプリンタユニットあるいは、当該ネットワーク１に単体で接続されているプリンタユニットでコピー出力を行いたい場合には、デジタル複合機１０Ａのスキャナユニット１２Ａに原稿をセットして、基本画面が表示されている状態において「ネットワークコピー」ボタン６４をタッチする。
【００４５】
「ネットワークコピー」ボタン６４がタッチされると、ＣＰＵ２１Ａは、画像形成装置登録ジョブで登録されている画像形成装置のそれぞれに対して、ＩＰアドレス、ポート番号を指定して、ネットワーク１を介して、給紙カセット情報を問い合わせる。
【００４６】
上述したところから明らかなように、そのＩＰアドレス、ポート番号が画像形成装置自体に割り当てられたものである場合には、給紙カセット情報はその画像形成装置自体に問い合わせることになり、制御装置に割り当てられたものである場合には、給紙カセット情報は、その制御装置に問い合わせることになる。
【００４７】
そしてここで、給紙カセット情報とは、画像形成装置において、自動用紙選択機能の有無、及び、手差しカセットも含めて各給紙カセットに用紙が収納されているか否か、収納されている場合にはそのサイズ、方向を含む情報をいう。また、厚紙等の紙の種別を検出できるものである場合には、紙種別をも含めてもよいことは当然である。
【００４８】
なお、自動用紙選択機能については周知であるが、原稿サイズとコピー倍率とから出力用紙サイズを決定して、そのサイズの用紙が収納されている給紙カセットから用紙を給紙する機能である。また、用紙の方向とは、給紙カセットに用紙が縦長の状態で収納されているか、横長の状態で収納されているかを示す情報である。更に、手差しカセットについては、用紙の有無のみが検出でき、収納されている用紙サイズは検出できないのが通常であるので、手差しカセットの給紙カセット情報としては、一般的には用紙の有無だけとなる。
【００４９】
この問い合わせに応じて、問い合わせを受けた画像形成装置又は制御装置は、各画像形成装置の給紙カセットの状態、即ち、自動用紙選択機能の有無、及び、各給紙カセットの用紙の有無、用紙が有る場合にはそのサイズ、方向を検索して、給紙カセット情報を生成して、給紙カセット情報の問い合わせを行った制御装置、ここでは制御装置１１Ａ、宛てに送信する。
【００５０】
上述したように、ＣＰＵ２１は、自己の制御装置１１に接続しているプリンタユニット（画像形成装置）と情報の授受を行うことによって、そのプリンタユニットについての給紙カセット情報を認識しているから、各制御装置１１のＣＰＵ２１は、給紙カセット情報の問い合わせがあった場合には、その問い合わせに応じて、自己に接続されているプリンタユニットについての給紙カセット情報を送ることができる。
【００５１】
このようにして、登録された画像形成装置から給紙カセット情報を取得すると、ＣＰＵ１２Ａは、各画像形成装置から取得した給紙カセット情報を統合（マージ）して、表示操作部２４Ａのタッチパネルに表示する。その表示の例を図６に示す。図６では、統合された給紙カセット情報は、パラメータ表示領域５３内に７０で示すようにウィンドウ表示され、そのウィンドウ７０に表示された画像形成装置毎の各給紙カセットの情報は、スクロールバー７１によってスクロール可能になされている。なお、図６では、給紙カセット情報はスクロール可能に表示するようにしているが、取得した全ての画像形成装置の給紙カセット情報が一つの画面内に表示できない場合には、次頁の画面に続きを表示するようにしてもよいことは上述した通りである。
【００５２】
また、この時、動作状態表示領域５２には、「ネットワークコピーできます」という、このジョブの動作の説明文が表示され、図６には図示しないが、ジョブ表示領域５１の「ネットワークコピー」ボタン６４は選択されていることを示す態様で表示される。なお、パラメータ表示領域５３内に表示されている「戻る」ボタン６７は、一つ前の画面に戻るためのタッチボタンである。
【００５３】
そして、ユーザは、図６に示す表示画面のウィンドウ７０において、自動用紙選択機能を使用したい場合には自動用紙選択機能のボタン、又は、所望のサイズの用紙が所望の方向で収納されている給紙カセットがあった場合、そのタッチボタンをタッチし、コピー部数を入力して、スタートボタンを押せばよい。
【００５４】
そして、いま、自動用紙選択機能のボタンも含めて、或る給紙カセットのボタンがタッチされると、ＣＰＵ２１Ａは、タッチされた位置にはどの画像形成装置のどの給紙カセットを表示しているかを検知して、当該ネットワークコピージョブで使用する画像形成装置と、その給紙カセットを決定する。ＣＰＵ２１Ａは、タッチパネルに表示する画面の制御を司っているので、そのボタンがタッチされた時点で、ウィンドウ７０の当該位置にどの画像形成装置のどの給紙カセットが表示されているかを検知することができるのである。
【００５５】
例えば、図６において、ユーザが所望のコピー部数を入力して、ウィンドウ７０の中からプリンタ１のカセット３のボタンをタッチすると、ＣＰＵ２１Ａは、このネットワークコピージョブでは、使用する画像形成装置は、プリンタ１と決定し、使用する給紙カセットは、このプリンタ１の給紙カセット３であると決定するのである。
【００５６】
このように、この制御装置１１Ａでは、使用する給紙カセットを指定するという一つの動作で、ネットワークコピージョブで使用する画像形成装置、及びその画像形成装置の給紙カセットの中の、当該ネットワークコピージョブで使用する給紙カセットの２つの事項が同時に決定されるのである。
【００５７】
そして、コピー部数が入力されてスタートボタンが押されると、ＣＰＵ２１Ａは、自身の制御装置１１Ａに接続されているスキャナユニット１２Ａに対して原稿読み取りの開始を指示する。これによって、スキャナユニット１２Ａでは原稿の読み取りが行われ、各原稿について、原稿サイズと画像データが得られる。そして、ＣＰＵ２１Ａは、その画像データ及び原稿サイズ、コピー部数、及び使用する給紙カセットの指示を付して、コピー出力のコマンドを、先に当該ネットワークコピージョブで使用すると決定した画像形成装置宛てに送信する。
【００５８】
このように、ネットワークコピージョブにおいては、画像出力を行う画像形成装置に対して、画像データ及び原稿サイズ、コピー部数、及び使用する給紙カセットの指示を付したコピー出力のコマンドを送信するのである。
【００５９】
これを受けた画像形成装置は、受信した画像データを、指示された給紙カセットから給紙を行って、指示された部数だけコピー出力を行う。なお、コピージョブを行うには、使用する給紙カセット以外にも、コピー倍率、コピー濃度、フルカラー／白黒の別、両面コピー／片面コピーの別、２値／中間調の別、コピー解像度等の種々のパラメータが必要であるが、これらの給紙カセット以外のパラメータについては、ネットワークコピージョブで使用すると決定された画像形成装置においてその時にコピージョブのために設定されているパラメータ値を用いるようにしてもよく、ユーザが操作しているデジタル複合機においてその時にコピージョブのために設定されているパラメータ値を用いるようにしてもよい。この画像処理ネットワークシステムにおいて、何れかを規定しておけばよい。そして、後者の場合には、ネットワークコピージョブで使用すると決定された画像形成装置にコピー出力のコマンドを送信する際に、上記の画像データ、コピー部数、及び使用する給紙カセットの指示に加えて、それらの給紙カセット以外のパラメータ値も送信することになる。
【００６０】
従って、デジタル複合機１０Ａの表示操作部２４Ａを操作しているユーザが、ネットワークコピージョブにおいて、デジタル複合機１０Ｂのプリンタユニット１３Ｂの給紙カセット３を指定したとすると、コピー出力は、このデジタル複合機１０Ｂのプリンタユニット１３Ｂの給紙カセット３を用いて行われることになる。その他の画像形成装置が指定された場合も同様である。
【００６１】
次に、ネットワークコピージョブにおいて、ある画像形成装置の自動用紙選択機能を選択した場合について説明する。いま、例えば、ユーザが制御装置１０Ａにおり、スキャナユニット１２Ａに原稿をセットして、基本画面が表示されている状態において「ネットワークコピー」ボタン６４をタッチし、更に、その後に表示される図６に示す表示画面のウィンドウ７０において、プリンタ１の「自動用紙選択機能」のボタンをタッチしたとすると、ＣＰＵ２１Ａは、このネットワークコピージョブでは、プリンタ１の自動用紙選択機能を使用することを決定する。即ち、この場合、ＣＰＵ２１Ａは、使用する画像形成装置はプリンタ１であり、使用する給紙カセットは、自動用紙選択という仮想的な給紙カセットであると決定するのである。このように、自動用紙選択機能は、仮想的に一つの給紙カセットとして扱われるのである。
【００６２】
そして、コピー部数が入力されてスタートボタンが押されると、ＣＰＵ２１Ａは、自身の制御装置１１Ａに接続されているスキャナユニット１２Ａに対して原稿読み取りの開始を指示する。これによって、スキャナユニット１２Ａでは原稿の読み取りが行われ、各原稿について、原稿サイズと画像データが得られる。そして、ＣＰＵ２１Ａは、その画像データ及び原稿サイズ、コピー部数、及び使用する給紙カセットの指示を付して、コピー出力のコマンドを、先に当該ネットワークコピージョブで使用すると決定した画像形成装置宛てに送信する。
【００６３】
プリンタ１の画像形成装置、又はプリンタ１を制御している制御装置は、これを受けると、受信した原稿サイズと、コピー倍率とから出力用紙サイズを求め、更にその求めた出力用紙サイズが収納されている給紙カセットを求める。そして、その画像形成装置又はその制御装置に接続している画像形成装置では、上記決定した給紙カセットから用紙を給紙することによって、受信した画像データの画像出力を指示された部数だけ行う。
【００６４】
なお、このとき用いるコピー倍率は、各機能のパラメータとして、ネットワークコピージョブで使用すると決定された画像形成装置においてその時にコピージョブのために設定されているパラメータ値を用いるようになされている場合には、この時使用すると決定された画像形成装置、この例の場合にはプリンタ１において設定されているコピー倍率を用いればよく、また、ユーザが操作しているデジタル複合機においてその時にコピージョブのために設定されているパラメータ値を用いるようになされている場合には、そのデジタル複合機、この例の場合にはデジタル複合機１０Ａから送信されたコピー倍率を用いればよい。
【００６５】
ただし、上述したようにネットワークコピージョブにおいて、他の画像形成装置の自動用紙選択機能を用いる場合、使用すると決定された画像形成装置が、原稿サイズとコピー倍率とから決定されたサイズの用紙が収納された給紙カセットを有しない場合には、エラーとなり、画像出力は行われない。
【００６６】
以上は、デジタル複合機１０Ａの表示操作部２４Ａで操作した場合の動作について説明したが、他のデジタル複合機の表示操作部、図３の場合にはデジタル複合機１０Ｂの表示操作部２４Ｂでも同様の操作を行うことができることは当然である。
【００６７】
なお、以上説明した実施の形態では、「ネットワークコピー」ボタン６４がタッチされた場合には、登録されている全ての画像形成装置に対して、自動的に給紙カセット情報を問い合わせるものとしたが、「ネットワークコピー」ボタン６４がタッチされた場合、先ずパラメータ表示領域５３に、登録されている画像形成装置の一覧を表示し、その中で或る画像形成装置が指定されたら、その画像形成装置に給紙カセット情報を問い合わせ、それによって取得した給紙カセット情報を表示して、その中から使用したい給紙カセットを指定するようにしてもよい。
【００６８】
その場合の画面表示の例を図７に示す。「ネットワークコピー」ボタン６４がタッチされた場合、図７（ａ）に示すように、パラメータ表示領域５３中に登録されている画像形成装置の一覧をウィンドウ表示８１し、この画面で、或る画像形成装置のボタンがタッチされて、「決定」ボタン６８がタッチされると、ＣＰＵ２１は当該画像形成装置に対して、ＩＰアドレス、ポート番号を指定して、ネットワーク１を介して、給紙カセット情報を問い合わせる。そして、当該画像形成装置から給紙カセット情報を取得すると、図７（ｂ）に示すように、その取得した給紙カセット情報を、パラメータ表示領域５３中にウィンドウ表示８２するのである。
【００６９】
そして、図７（ｂ）に示す画面において、所望の給紙カセットのボタンがタッチされ、コピー部数が入力されてスタートボタンが押されると、ＣＰＵ２１は、上述したと同様にして、当該ネットワークコピージョブで使用する画像形成装置と、使用する給紙カセットを決定して、その画像形成装置に対して、画像データ、コピー部数、及び使用する給紙カセットの指示を付して、コピー出力のコマンドを送信するようにするのである。
【００７０】
そしてこの場合においても、図７（ａ）のウィンドウ表示８１において画像形成装置が指定された段階では、その指定された画像形成装置がネットワークコピージョブで使用されるものとは決定されてはおらず、当該ネットワークコピージョブで使用される画像形成装置が決定されるのは、あくまでも図７（ｂ）のウィンドウ表示８２において給紙カセットが指定されてからである。
【００７１】
以上のようであるので、この制御装置１１によれば、ネットワークコピーを行うに場合に、使用する給紙カセットを指定することによって、使用する画像形成装置が自動的に決定されるので、簡単な操作で、ネットワークコピージョブで使用する画像形成装置、及びその給紙カセットを決定することができる。また、それに際して、ユーザは、各々の画像形成装置の各給紙カセットに用紙が収納されているか否か、収納されている場合にはどのようなサイズで、どの方向かを知る必要はないので、ユーザの負担を軽減することができる。
【図面の簡単な説明】
【００７２】
【図１】本発明に係る画像処理制御装置、及びその画像処理制御装置を用いたデジタル複合機の一構成例を示す図である。
【図２】図２（ａ）はスキャナユニット１２の構成例を示す図であり、図２（ｂ）はプリンタユニット１３の構成例を示す図である。
【図３】画像処理ネットワークシステムの構成例を示す図である。
【図４】デジタル複合機１０の電源投入後の立ち上げ処理が終了した時に、表示操作部２４に表示される基本画面の例を示す図である。
【図５】基本画面において、「画像形成装置登録」ボタン６５がタッチされた場合に表示される画像形成装置登録画面の例を示す図である。
【図６】画像形成装置から取得した給紙カセット情報を統合して表示する場合の例を示す図である。
【図７】ネットワークコピージョブで使用する給紙カセットを指定するための画面のその他の例を示す図である。
【符号の説明】
【００７３】
１…ネットワーク
１０、１０Ａ、１０Ｂ…デジタル複合機
１１、１１Ａ、１１Ｂ…画像処理制御装置（制御装置）
１２、１２Ａ、１２Ｂ…スキャナユニット
１３、１３Ａ、１３Ｂ、１３Ｃ、１３Ｄ…プリンタユニット
２１、３１、４１…ＣＰＵ
２２、３２、４２…ＲＯＭ
２３、３３、４３…ＲＡＭ
２４、２４Ａ、２４Ｂ…表示操作部
２５、３５、４５…ネットワークインターフェイス（ネットワークＩ／Ｆ）
２６、２７、３５、４６…通信インターフェイス（通信Ｉ／Ｆ）
【図１】
2007174159.tif 000003
【図２】
2007174159.tif 000004
【図３】
2007174159.tif 000005
【図４】
2007174159.tif 000006
【図５】
2007174159.tif 000007
【図６】
2007174159.tif 000008
【図７】
2007174159.tif 000009